【手続補正書】
【提出日】平成29年3月6日(2017.3.6)
【手続補正１】
【補正対象書類名】明細書
【補正対象項目名】０００６
【補正方法】変更
【補正の内容】
【０００６】
上記課題を解決するために、本発明の一実施態様に係る眼科装置は、
被検者の被検眼を検眼する検眼手段と、
前記検眼手段を所定の方向に駆動する第一の駆動機構と、
前記第一の駆動機構を駆動する第一のモータと、
前記検眼手段を前記所定の方向に駆動し、前記第一の駆動機構の停止精度よりも高い停止精度を有する第二の駆動機構と、
前記第一のモータとは異なり前記第二の駆動機構を駆動する第二のモータと、
前記第一の駆動機構による駆動と前記第二の駆動機構による駆動とを切り替える切り替え手段と、を備えることを特徴とする。
【手続補正２】
【補正対象書類名】明細書
【補正対象項目名】０００７
【補正方法】変更
【補正の内容】
【０００７】
また、上記課題を解決するために、本発明の一実施態様に係る眼科装置の制御方法は、
被検者の被検眼を検眼する検眼手段と、前記検眼手段を所定の方向に駆動する第一の駆動機構と、前記第一の駆動機構を駆動する第一のモータと、前記検眼手段を前記所定の方向に駆動し、前記第一の駆動機構の停止精度よりも高い停止精度を有する第二の駆動機構と、前記第一のモータとは異なり前記第二の駆動機構を駆動する第二のモータと、を備える眼科装置の制御方法であって、
前記第一の駆動機構による駆動と前記第二の駆動機構による駆動とを切り替える工程を含むことを特徴とする。
【手続補正３】
【補正対象書類名】特許請求の範囲
【補正対象項目名】全文
【補正方法】変更
【補正の内容】
【特許請求の範囲】
【請求項１】
被検者の被検眼を検眼する検眼手段と、
前記検眼手段を所定の方向に駆動する第一の駆動機構と、
前記第一の駆動機構を駆動する第一のモータと、
前記検眼手段を前記所定の方向に駆動し、前記第一の駆動機構の停止精度よりも高い停止精度を有する第二の駆動機構と、
前記第一のモータとは異なり前記第二の駆動機構を駆動する第二のモータと、
前記第一の駆動機構による駆動と前記第二の駆動機構による駆動とを切り替える切り替え手段と、を備えることを特徴とする眼科装置。
【請求項２】
前記被検眼と前記検眼手段との位置関係を計測する計測手段を更に備え、
前記切り替え手段は、前記計測手段による計測結果に応じて前記第一の駆動機構による駆動と前記第二の駆動機構による駆動とを切り替えることを特徴とする請求項１に記載の眼科装置。
【請求項３】
前記計測手段による前記計測結果と閾値との大小を判定する判定手段を更に備え、
前記切り替え手段は、前記計測結果が前記閾値より小さいと判定された場合に、前記第一の駆動機構による駆動と前記第二の駆動機構による駆動とを切り替えることを特徴とする請求項２に記載の眼科装置。
【請求項４】
前記被検者から見て前後方向に前記検眼手段を駆動させた場合であって、前記計測結果が前記閾値より小さいと判定された場合に、前記切り替え手段は前記第一の駆動機構による駆動から前記第二の駆動機構による駆動への切り替えを実行することを特徴とする請求項３に記載の眼科装置。
【請求項５】
前記第一のモータと前記第二のモータとは略同時に駆動を開始し、
前記計測結果が前記閾値より小さいと判定された場合に、前記第一のモータが前記第一の駆動機構を駆動する際の駆動力が減少するように前記第一のモータは制御され、前記切り替え手段は前記第一のモータによる第一の伝達様式から前記第二のモータによる第二の伝達様式に切り替えることを特徴とする請求項３又は４に記載の眼科装置。
【請求項６】
前記切り替え手段は、前記第一の駆動機構と前記第二の駆動機構とを共に駆動させて、前記第一の駆動機構による前記検眼手段の駆動速度と前記第二の駆動機構による前記検眼手段の駆動速度とが略同速度となる場合に、前記第一の駆動機構による駆動から前記第二の駆動機構による駆動への切り替えを実行することを特徴とする請求項１乃至５の何れか一項に記載の眼科装置。
【請求項７】
被検者の被検眼を検眼する検眼手段と、
前記検眼手段を所定の方向に駆動する第一の駆動機構と、
前記検眼手段を前記所定の方向に駆動し、前記第一の駆動機構の停止精度より高い停止精度を有する第二の駆動機構と、
第一の伝達機構を介して前記第一の駆動機構に伝達されて前記第一の駆動機構を駆動し、第二の伝達機構を介して前記第二の駆動機構に伝達されて前記第二の駆動機構を駆動する駆動力を供給する駆動源と、
前記駆動力を前記第一の駆動機構に伝達するための前記第一の伝達機構の使用と、前記駆動力を前記第二の駆動機構に伝達するための前記第二の伝達機構の使用とを切り替える切り替え手段と、を備えることを特徴とする眼科装置。
【請求項８】
前記被検眼と前記検眼手段との距離が閾値以下であるか否かを判定する判定手段と、
前記距離が前記閾値以下であると判定された場合に、前記第一の伝達機構の使用から前記第二の伝達機構の使用に切り替えるように前記切り替え手段を制御する制御手段と、を更に備えることを特徴とする請求項７に記載の眼科装置。
【請求項９】
左右の被検眼において一方の被検眼から他方の被検眼への前記被検眼の切り替えをする場合に、切り替えられた後の前記被検眼と前記検眼手段との距離が閾値以下であるか否かを判定する判定手段と、
前記距離が前記閾値以下であると判定された場合に、前記第一の伝達機構の使用から前記第二の伝達機構の使用に切り替えるように前記切り替え手段を制御する制御手段と、を更に備えることを特徴とする請求項７に記載の眼科装置。
【請求項１０】
前記第一の伝達機構はクラッチ機能を有する伝達機構であり、
前記第二の伝達機構はクラッチであり、
前記切り替え手段は、前記第一の伝達機構により設定された前記第一の駆動機構が前記検眼手段を駆動する第一の駆動速度が前記第二の駆動機構が前記検眼手段を駆動する第二の駆動速度と同じ速度の際に、前記第一の伝達機構の使用から前記第二の伝達機構の使用に切り替えることを特徴とする請求項７乃至９の何れか一項に記載の眼科装置。
【請求項１１】
前記第一の駆動機構はラックアンドピニオンを有し、前記第二の駆動機構は送りねじを有し、前記切り替え手段はクラッチを有することを特徴とする請求項１乃至１０の何れか一項に記載の眼科装置。
【請求項１２】
被検者の被検眼を検眼する検眼手段と、前記検眼手段を所定の方向に駆動する第一の駆動機構と、前記第一の駆動機構を駆動する第一のモータと、前記検眼手段を前記所定の方向に駆動し、前記第一の駆動機構の停止精度よりも高い停止精度を有する第二の駆動機構と、前記第一のモータとは異なり前記第二の駆動機構を駆動する第二のモータと、を備える眼科装置の制御方法であって、
前記第一の駆動機構による駆動と前記第二の駆動機構による駆動とを切り替える工程を含むことを特徴とする眼科装置の制御方法。
【請求項１３】
被検者の被検眼を検眼する検眼手段と、前記検眼手段を所定の方向に駆動する第一の駆動機構と、前記検眼手段を前記所定の方向に駆動し、前記第一の駆動機構の停止精度より高い停止精度を有する第二の駆動機構と、第一の伝達機構を介して前記第一の駆動機構に伝達されて前記第一の駆動機構を駆動し、第二の伝達機構を介して前記第二の駆動機構に伝達されて前記第二の駆動機構を駆動する駆動力を供給する駆動源と、を備える眼科装置の制御方法であって、
前記駆動力を前記第一の駆動機構に伝達するための前記第一の伝達機構の使用と、前記駆動力を前記第二の駆動機構に伝達するための前記第二の伝達機構の使用とを切り替える工程を含むことを特徴とする眼科装置の制御方法。
【請求項１４】
請求項１２又は１３に記載の眼科装置の制御方法の各工程をコンピュータに実行させることを特徴とするプログラム。